Podtech/llm-jp-corpus-v4-ja_patent huggingface dataset:
(57)【要約】【課題】従来の男性用の小便器には、男性性器を洗浄する機能が無かった、そのため、臭いし、垢もたまりやすくて、不潔であった。【解決手段】男性用小便器に男性性器を洗浄する装置を設ける。男性性器洗浄装置は男性用小便器の上部内側、または上部外側から内側に向けられ、設けられた放水口から水を男性性器に散水して洗浄する装置である。【選択図】図１
2005048562.tif 000002
【特許請求の範囲】
【請求項１】
男性性器を洗浄する装置を設けたことを特徴とする男性用小便器。
【請求項２】
男性用小便器の上部内側に設けられた放水口から、水を男性性器に散水して洗浄することを特徴とする。
【発明の詳細な説明】
【発明の詳細な説明】
【技術分野】
【０００１】この発明は、男性が小便をする男性用小便器に設けられた男性性器を洗浄する機能に関する。
【背景技術】
【０００２】従来の男性用小便器には、図２に示すように、男性の性器を洗浄する装置がなかった。洗浄装置があってもそれは、次に使用する人のための、小便器の洗浄装置であったにすぎない。
【発明が解決しようとする課題】
【０００３】従来の男性用の小便器には、男性性器を洗浄する機能が無かった、そのため、臭いし、垢もたまりやすくて、不潔であった。そこで、この発明は、男性性器を洗浄し清潔な習慣を身に付けてもらうことができるように、男性性器を洗浄する機能付の男性用小便器を提供することを課題とする。
【課題を解決するための手段】
【０００４】以上の課題を解決するために、請求項１の発明は、男性用小便器に男性性器を洗浄する装置を設けたことを特徴とする男性用小便器である。また、請求項２の発明は、男性用小便器に男性性器洗浄装置を設けこの男性性器洗浄装置は男性用小便器の上部内側に設けられた放水口から水を男性性器に散水して洗浄することを特徴とする男性用小便器である。
【発明を実施するための最良の形態】
【０００５】この発明の一実施形態を、図１に示す。
男性用小便器の本体１は通常のものであり、この本体１の上部内側に男性性器洗浄用の散水口が設けられている。この散水口からは、シャワー形に散水する方式と、気泡を含む泡状の水を散水する方式などあるが、垂直か内側に散水し、男性のズボンを濡らすことの無いような、水量とか散水角度に配慮が施されている。男性性器を洗浄する場合、散水ボタンを押すか又は、センサー部分に２〜３秒の間指先で軽く触れる程度で１０〜１５秒間散水するように、センサーに機能を設ける。そしてそのセンサー部分がどこにあるか、分かるように「男性洗浄」の表示を明記しておく。
【実施形態の効果】
【０００６】この実施形態によれば、男性用小便器での洗浄が小便時に行えることでいつも、男性性器を清潔に保つことができて、男性性器が清潔であるということは、パートナーへの気配りでありエチケットでもある、ゆえに男性の魅力もアップする。
【他の実施形態】
【０００７】図１の実施形態では、散水口の設置場所が、男性用小便器の上部内側であったが他の実施形態では、男性用小便器の上部外側に設けて内側に向けて散水する形であっても良い。
【発明の効果】
【０００８】以上説明したように、この発明によれば、男性用小便器に男性性器洗浄装置を設けたので、男性性器をいつも清潔に保つことができる。そして、この装置は全世界のホテル、劇場、駅などの公共施設に及ばず地球上の男性用小便器に取り付けられて使用することができる。
【０００９】また、女性用性器洗浄装置（ビデ）はあるが、男性性器洗浄装置が無いため、男性に清潔な習慣を身に付けてもらうという、男性の生活習慣を変えるのがポイントである。
【図面の簡単な説明】
【図１】この発明の一実施形態を示す斜視図である。
【図２】従来技術を示す斜視図である。
【符号の説明】
１  男性用小便器
２  散水ボタン
３  センサー
４  男性性器洗浄装置
５  「男性洗浄機能付き便器」の説明パネル
【図１】
2005048562.tif 000003
【図２】
2005048562.tif 000004
(57)【要約】【課題】小規模単一店舗においては、単一のサービス提供がほとんどであり、複数業態を運営する場合であってもその業態の枠を超えるものではなく、対応する顧客のニーズの変化に対応できなかった。【解決手段】その日その時の最適な複数または単一のサービスを、テーブルとついたてで、提供するサービス空間を随時調整する一方、顧客ニーズに対応して新しいサービスを外部からも取り組むことで実現する。【選択図】図３
2005048458.tif 000002
【特許請求の範囲】
【請求項１】
本来は、麻雀台や卓球台、ゲーム台の様な単一の娯楽目的のテーブルを瞬時あるいは数秒で他の目的に使用可能なものを使用する。また、提供するサービスによっては、瞬時あるいは数秒で取り外せることを特徴とする可搬式多目的テーブルを使用するサービス空間。
【請求項２】
複数の顧客ニーズに応じて個々のサービスを顧客相互間での干渉や不快感を最小限にすることを目的として、サービス空間を随時区切るついたてを使用するが、提供するサービスによっては瞬時あるいは数秒で取り外せることを特徴とする可搬式ついたてを使用するサービス空間。
【請求項３】
多様な顧客ニーズに対応したサービスを提供するにあたり、自前で提供できないサービスは、専門家や該当企業の出前やアウトソーシングで対応することで実現する。すなはち、監督省庁の許認可を得られていないサービス、資格が必要なサービス、専門技術や専門知識、特殊な設備が必須のサービスについては、外部の力を借りてでも顧客ニーズに対応することを否定しない。
【発明の詳細な説明】
【技術分野】
【０００１】
本発明は、小規模単一店舗におけるサービス空間の運営技術に関するものである。
【背景技術】
【０００２】
小規模単一店舗が顧客ニーズの多様なサービスに対応する方法として、時間帯で業態変更をする二毛作や三毛作をする店舗が存在する。例えば、朝は喫茶店、昼はランチ店、夜はパブといった店がある。一方、インターネットカフェやゲームセンター、遊園地の様に、限定された複数のサービスを開店から閉店まで同時進行する複数業態同時進行型の店舗が存在する。
【０００３】
しかし、多様な顧客ニーズに対応するのに、前者は基本となる業態としての飲食業の枠を超えることができず、後者はサービスを増やすにはさらなるスペースを必要とし店舗を増床せざるを得ないという難点があり、これらの従来技術は、その限られた業態の枠を超えるものではなく、対応する顧客ニーズが限定され、ニーズの木目細かな変化にも対応できない。特に、小規模店舗にとっては、容易に実現しえないことであった。図２は、従来の実施形態によるサービス対応を示しており、１は二毛作・三毛作型、２は多業態同時進行型のイメージ図である。
【０００４】
顧客へのサービスを提供する店舗において、この欠点は提供できるサービスが限定されていることで、顧客サービスのパーフォーマンスに関して大きな障害である。具体的には、顧客にとって不必要なサービスを無駄に提供したり、来客の期待できない時間帯でも営業せざるを得ないため、電気代等の浪費をしたりするなどの問題があった。
【０００５】
この改善策として、テーブルとついたてで提供するサービス空間を随時調整する一方、顧客ニーズに対応して新しいサービスを外部からも取り組む方法がある。これにより、店舗としての効率と顧客満足度は極限にまで高められる。図１はこの方法による小規模単一店舗が、その日その時間帯における最適な複数又は単一のサービスを提供する例であり、１から６は変化対応するサービスのイメージを示している。
【発明の開示】
【発明が解決しようとする課題】
【０００６】
解決しようとする問題点は、従来技術によれば、その限られた業態の枠を超えるものではなく、対応する顧客ニーズが限定され、ニーズの変化にも対応できない点である。
【課題を解決するための手段】
【０００７】
本発明は、店舗のサービス空間を多様な顧客サービスに対応するため、多目的テーブルとついたてを駆使あるいは撤去し、外部からの提供できるサービスをも取り入れることを最も主要な特徴とする。
【発明の効果】
【０００８】
本発明の可変的多業態多重運営システムは、小規模単一店舗において、顧客満足度とサービス提供の時間的空間的効率を最大限に高められるという利点がある。
【発明を実施するための最良の形態】
【０００９】
その店へ行けば必ず満足できる、求めていたものが何かある、一日中楽しめる、一日中飽きずにいられる、寝て起きて食べて遊んで健康増進疲労回復や知的精神的満足が得られる様にサービスを多様に進化することで実現する。
【産業上の利用可能性】
【００１０】
顧客ニーズの多様な変化に対応できる店舗の運営技術であり、将来なくてはならないものとして、サービス業の主流となり、各産業を活性化し、雇用の創出がはかられ、産業構造を根本から変えてしまう可能性を秘めている。
【図面の簡単な説明】
【００１１】
【図１】可変的多業態多重運営システムの実施方法を示したイメージ図である。
【図２】従来の実施形態によるサービス対応を示したイメージ図である。
【図３】図１を要約したイメージ図である。
【図１】
2005048458.tif 000003
【図２】
2005048458.tif 000004
【図３】
2005048458.tif 000005
(57)【要約】【課題】  従来の人工干潟用土留めは、波浪を減衰することができず、干潟材の洗掘や流失を防ぐことができなかった。【解決手段】  本発明の人工干潟用土留めにおいては、透水性が大きい人工干潟用潜堤を人工干潟の海側に配置する。上記人工干潟用土留めの潜提の透水性は海側で最大、人工干潟側で最低とする。人工干潟の海側端部上面とこの海側端部に隣接する潜堤部分の上面を保護層によって覆う。【選択図】  図２
2005048496.tif 000002
【特許請求の範囲】
【請求項１】
人工干潟の海側に隣接して配置された、透水性が大きい潜堤より成ることを特徴とする人工干潟用土留め。
【請求項２】
人工干潟の海側に隣接して配置された、透水性が海側で最大、人工干潟側で最低である潜堤より成ることを特徴とする人工干潟用土留め。
【請求項３】
人工干潟の海側端部上面とこの海側端部に隣接する上記潜堤部分の上面が保護層によって覆われていることを特徴とする請求項１または２記載の人工干潟用土留め。
【発明の詳細な説明】
【技術分野】
【０００１】
本発明は人工干潟用土留め、特に、干潟材の洗堀を防止できる人工干潟用土留めに関するものである。
【背景技術】
【０００２】
干潟材、特に粘性度より成る干潟材の流出を防ぐため潜堤状の土留めを人工干潟の海側に隣接して設けることは特許文献１に示すように既知である。
【特許文献１】特開平８−６０６３７号（第３頁〜第６頁、図１）。
【発明の開示】
【発明が解決しようとする課題】
【０００３】
然しながら上記従来の手段では土留めによって波浪の高さを減衰することができず図４に示すように、人工干潟の干潟材１の海側に隣接して形成された潜堤２を波３が乗り越えて干潟材１上に達し、この場合砕波を伴うことも多く、これによって干潟材１の局所部分４が洗掘されるようになり、この洗掘による変形により干潟材１の流失が広範囲に亘るようになる欠点があった。
【０００４】
また、干潟はその存在性格上干潟内部に潮間帯があるが、土留めを越えて波浪が干潟内部に進入した場合、防砂シートがめくれ上がり、土留めを越えて干潟材が流出するようになる欠点があった。
【０００５】
本発明者は種々実験研究の結果、波浪が高ければ潜堤２を乗り越える海水の量が多くなり、また、洗掘量も多くなること、及び、土留めの透水性が大きければそれだけ波浪を減衰できることを見出した。
【０００６】
本発明はこのような知見をもとになされたものである。
【課題を解決するための手段】
【０００７】
本発明の人工干潟用土留めは、人工干潟の海側に隣接して配置された、透水性が大きい潜堤より成ることを特徴とする。
【０００８】
また、本発明の人工干潟用土留めは、人工干潟の海側に隣接して配置された、透水性が海側で最大、人工干潟側で最低である潜堤より成ることを特徴とする。
【０００９】
また、本発明の人工干潟用土留めは、人工干潟の海側端部上面とこの海側端部に隣接する上記潜堤部分の上面が保護層によって覆われていることを特徴とする。
【発明の効果】
【００１０】
本発明の人工干潟用土留めによれば、波が干潟に達する前に土留め上でその波高が減衰し、干潟内に侵入する波浪が小さくなるため干潟材の洗掘と流出が防止されるようになる。
【発明を実施するための最良の形態】
【００１１】
本発明においては、人工干潟とその海側間に潜堤を配置し、この潜堤によって土留めを形成し、この土留めの透水性を高くし、好ましくは、この透水性を海側で最大、人工干潟側で最低とする。
【００１２】
また、上記干潟の海側端部上面と、これに接する潜堤部分の上面を保護層によって覆うようにする。
【実施例１】
【００１３】
本発明の第１の実施例においては図１に示すように人工干潟の干潟材１の海側に隣接して、海側から干潟材１側に向って延びる透水性の大きい潜堤２を配置して土留めとする。この潜堤２は図２に示すように好ましくは長さ方向に隣接する複数の例えば４つの部分２ａ〜２ｄによって構成し、第１の部分２ａを空隙の一番大きい材料、即ち透水性の一番大きいものとし、他の部分２ｂ〜２ｄの材料はその空隙が順次に小さくなる材料、即ち透水性が順次に小さくなるものとする。
【００１４】
本発明の人工干潟用土留めは上記のような構成であるから透水率が潜堤２を構成する第１の部分で最大となり、波高が大幅に減衰され、次いでこれより透水率が小さい第２・・第４の部分で更に減衰され波浪は図２に示すように潜堤２上で干潟材１側に向って次第に小さくなり干潟材１に達する波は無くなるか、または極めて小さくなる。また、不連続な動水勾配の発生も抑制されるようになる。従って干潟材１の洗掘や吸収、流出を未然に防ぎ得るようになる。
【実施例２】
【００１５】
本発明の第２の実施例においては図３に示すように上記干潟材１の海側端部上面の所定幅とこれに隣接する上記第４の潜堤部分２ｄの上面の少なくとも一部に保護層５を被せ、波浪による干潟材１の洗掘を完全に防ぎ得るようにする。
【００１６】
この保護層５としては干潟材１と物性が類似したもの、例えばシルト層や造粒固化層とする。これらは袋やマット状としても良い。また、干潟材１に洗掘が生じた場合この洗掘に応じて上記保護層５が干潟材１の表面に沿って変形し常時干潟材１の表面を覆うことができるようにするのが好ましい。
【産業上の利用可能性】
【００１７】
本発明の土留めを人工干潟に用いれば人工干潟を波浪から完全に守り、長期間維持できるようになる。
【図面の簡単な説明】
【００１８】
【図１】本発明の人工干潟用土留めを示す説明図である。（実施例１）
【図２】本発明の人工干潟用土留めの他の例を示す説明図である。
【図３】本発明の人工干潟用土留めの更に他の例を示す説明図である。（実施例２）
【図４】従来の人工干潟用土留めの説明図である。
【符号の説明】
【００１９】
１    干潟材
２    潜堤
２ａ  部分
２ｂ  部分
２ｃ  部分
２ｄ  部分
３    波
４    局所部分
５    保護層
【図１】
2005048496.tif 000003
【図２】
2005048496.tif 000004
【図３】
2005048496.tif 000005
【図４】
2005048496.tif 000006
(57)【要約】【課題】  充填式透水性のグレーチングに対して、貯水性を有するように構成して、貯めた水を利用しヒートアイランド現象を和らげ路面の温度を下げて環境にやさしいグレーチングを提供する。【解決手段】  排水用ないしはオーバーフロー用の穴を設けていない充填式透水性のグレーチング本体に透水性の充填材を充填し、貯水性を有するようにする。【選択図】        図１
2005048417.tif 000002
【特許請求の範囲】
【請求項１】
排水用ないしはオーバーフロー用の穴を設けていない充填式透水性のグレーチングにおいて、グレーチング本体に透水性の充填材を充填し、貯水性を有するようにしたことを特徴とする充填式透水性のグレーチング。
【請求項２】
排水用の穴を設けていない充填式透水性のグレーチング本体の側板の上部に水のオーバーフロー用の穴を設け、グレーチング本体に透水性の充填材を充填し、貯水性を有するようにしたことを特徴とする充填式透水性のグレーチング。
【請求項３】
排水用の穴を設けた充填式透水性のグレーチング本体に貯水用の容器を複数設けると共に透水性の充填材を充填し、貯水性を有するようにしたことを特徴とする充填式透水性のグレーチング。
【請求項４】
排水用の穴を設けた充填式透水性のグレーチング本体に吸水性物質を混入した透水性の充填材を充填し、貯水性を有するようにしたことを特徴とする充填式透水性のグレーチング。
【発明の詳細な説明】
【技術分野】
【０００１】
本発明は、充填式透水性のグレーチングにおいて、貯水性を有するようにしたもので、建物・建物まわりの空間、歩道などに用いられる充填式透水性のグレーチングに関するものである。
【背景技術】
【０００２】
従来、建物・建物まわりの空間あるいは歩道に用いる透水性の充填材を使用した充填式透水性のグレーチングは、雨水をそのまま大地に通過させるために、グレーチング本体の底に穴を開けるなどして、通水性を有するように形成されていた。
【発明の開示】
【発明が解決しようとする課題】
【０００３】
本発明は、雨水をそのまま大地に通過させる透水性の充填材を使用した充填式透水性のグレーチングに対して、貯水性を有するように構成した充填式透水性のグレーチングであり、その貯めた水を有効に利用することにより、ヒートアイランド現象を和らげ路面の温度を下げて環境にやさしい充填式透水性のグレーチングを提供するものである。
【発明の効果】
【０００４】
本発明の充填式透水性のグレーチングは、貯水性を有するように構成され雨水などを貯水するので、夏の暑い季節などに、貯水されていた水が蒸発し、路面やその周辺の温度の低下を図ることができ、ヒートアイランド現象を和らげ環境にやさしい充填式透水性のグレーチングを提供することができる。
【発明を実施するための最良の形態】
【０００５】
雨水をそのまま大地に通過させる透水性の充填材を使用した充填式透水性のグレーチングに対して、貯水性を有するようにすためるには、次のように構成するのが好ましい。
（１）充填式透水性のグレーチング本体に排水用ないしはオーバーフロー用の穴を設けていないグレーチングを用いる。
（２）充填式透水性のグレーチング本体の底に排水用の穴を設けなルことなく、グレーチング本体の側板の上部に水のオーバーフロー用の穴を設けたものを用いる。
（３）排水用の穴を設けた充填式透水性のグレーチング本体の内部に、貯水用の容器を複数設けたものを用いる。
（４）排水用の穴を設けた充填式透水性のグレーチング本体に充填する透水性の充填材として、吸水性物質を混入したものを用いる。
【０００６】
本発明の充填式透水性のグレーチングの材質としては、特に限定されるものではないが、ステンレス鋼を用いるのが好ましい。
充填式透水性のグレーチングにおいては、通水性として排水するためにグレーチング本体の底板に穴を開けるのであるが、網目状に形成した底板を用いることもでき、要は排水穴に相当するものを有するように構成すればよい。
充填式透水性のグレーチングにおいては、透水性の充填材が用いられるのであるが、透水性の充填材としては、天然石、廃磁器、廃ガラス品、産廃スラグおよびゴミスラグなどを処理したもの、または合成樹脂などの化学的製品等が用いられる。
［実施例１］
【０００７】
図１に示すように、底板１、側板２およびスリット部３からなる充填式透水性のグレーチングで、底板１に排水用の穴、また、側板２にオーバーフロー用の穴を設けていないものを用い、図２に示すように、内部に透水性の充填材５を充填する。４は底板１、側板２およびスリット部３の両端部に溶接により接合した側板である。
［実施例２］
【０００８】
図１に示すように、底板１、側板２およびスリット部３からなる充填式透水性のグレーチングで、底板１に排水用の穴を設けることなく、図３に示すように、側板２の上部に排水用の穴６を並列して多数設けものを用いる。このグレーチングの内部には、図示していないが、実施例１と同様に透水性の充填材５を充填する。
［実施例３］
【０００９】
図４に示すように、底板１、側板２およびスリット部３からなる充填式透水性のグレーチングで、底板１および側板２に排水用の穴７を設けたものを用い、図５に示すように、角筒状の貯水用の容器８を複数設置したものを用いる。このグレーチングの内部には、図示していないが、実施例１と同様に透水性の充填材５を充填する。
［実施例４］
【００１０】
図４に示すように、底板１、側板２およびスリット部３からなる充填式透水性のグレーチングで、底板１および側板２に排水用の穴７を設けたものを用い、図６に示すように、吸水性物質９を混入した透水性の充填材１０をグレーチング本体内に充填する。
［実施例５］
図７に示すように、実施例３におけるグレーチングのスリット部３を並列板状に形成したものである。
［実施例６］
図８に示すように、実施例４におけるグレーチングのスリット部３の折り曲げをなくしたものである。
【図面の簡単な説明】
【００１１】
【図１】排水用およびオーバーフロー用の穴を設けていない充填式透水性のグレーチング本体の斜視図である。
【図２】実施例１による充填式透水性のグレーチングの斜視図である。
【図３】実施例２による充填式透水性のグレーチングの斜視図である。
【図４】排水用の穴を設けた充填式透水性グレーチング本体の斜視図である。
【図５】実施例３による充填式透水性のグレーチングの斜視図である。
【図６】実施例４による充填式透水性のグレーチングの斜視図である。
【図７】実施例５による充填式透水性のグレーチングの斜視図である。
【図８】実施例６による充填式透水性のグレーチングの斜視図である。
【符号の説明】
【００１２】
１  底板
２  側板
３  スリット部
４  側板
５  透水性の充填材
６  排水用の穴
７  排水用の穴
８  貯水用の容器
９  吸水性物質
１０  透水性の充填材
【図１】
2005048417.tif 000003
【図２】
2005048417.tif 000004
【図３】
2005048417.tif 000005
【図４】
2005048417.tif 000006
【図５】
2005048417.tif 000007
【図６】
2005048417.tif 000008
【図７】
2005048417.tif 000009
【図８】
2005048417.tif 000010
(57)【要約】【目的】  配管の長さ調整や向き調整をした時接合部が緩み不具合になり課題であった。またシールテープ等を使用しても漏水する事もあり作業が面倒であったので、この課題に着目し、原因究明し、シールテープ等を使用しなくても簡単に接続配管、器具取り付けが出来、漏水のない継手、器具を提供する事を目的としたのである。【構成】  オスの継手１の先側又は第２オス継手８のネジの手前側にオスのＯリングあるいはパッキン２を付け、オスの相手側３又は第２メスの継手９に挿入し長さや向き調整をしてロックナットを締め固定するのである。【効果】  本発明の、配管のオスの継手で、継手のネジ部あるいは螺旋部あるいはフック等にＯリング等あるいはパッキンが付いていて、ロックナットで固定出来る継手にする事で、長さや向き調整を速やかに終えることが出来時間の節約も出来るのである。【選択図】  図１
2005048939.tif 000002
【特許請求の範囲】
【請求項１】
配管のオス継手で、継手のネジ部あるいは螺旋部あるいはフック等の先側、又は手前側にＯリング等、あるいはパッキンが付いていて、ロックナットで固定出来る継手。
【請求項２】
配管のメス継手で、オス継手のネジ部あるいは螺旋部あるいはフック等の先側にＯリング等、あるいはパッキンが付いている継手に対応出来る様にした継手。
【請求項３】
配管のメス継手で、内側にネジ部あるいは螺旋部あるいはフック等があり、Ｏリング等あるいはパッキンが付いている継手。
【請求項４】
配管のオス継手で、メス継手のネジ部あるいは螺旋部あるいはフック等があり、Ｏリング等あるいはパッキンが付いているものに対応出来る様にし、ロックナットで固定出来る継手。
【請求項５】
配管の持ち出しソケット及び持ち出しユニットで、継手のネジ部あるいは螺旋部あるいはフック等にＯリング等あるいはパッキンが付いていて、ロックナットで固定出来るオス継手に、接続対応出来、又オスネジ部は従来の継手にも、接続可能な継手。
【発明の詳細な説明】
【発明の詳細な説明】
【技術分野】
【０００１】  本発明は、配管に使用する継手に属するものである。
【背景技術】
【０００２】  これまでは、継手のネジ部にシールテープを巻き付け、きつく終わりまで向きや長さに関係なく捻じ込んでいただけである。そして場合によっては接着剤等の溶剤を塗布していたのである。
【発明が解決しようとする課題】
【０００３】  配管の長さ調整や向き調整をした時接合部が緩み不具合になり課題であった。  またシールテープ等を使用しても漏水する事もあり作業が面倒であった、本発明は、前期課題に着目し、原因究明し、シールテープ等を使用しなくても簡単に接続配管、器具取り付けが出来、漏水のない継手、器具を提供することを目的としたのである。
【課題を解決するための手段】
【０００４】  前記目的は、配管のオス継手で、継手のネジ部あるいは螺旋部あるいはフック等にＯリング等あるいはパッキンが付いていて、ロックナットで固定出来る継手とメス継手で継手のネジ部あるいはフック等にＯリング等あるいはパッキンが付いているものに対応出来る様にした継手によって達成されるものである。
【実施例】
【０００５】  配管の作業は、場所や空間や時間や季節等さまざま違った条件で行うものでその全てに対応出来なければならないのである。中でも最終的には作業性であり時間との兼ね合いが取りざたされていたのである。  本発明は、その作業性や時間との兼ね合いを課題とし小回りの効く継手が必要と考えたものである。以下図に基づき説明する。  図１、図２、図３に基づいて説明する。オスの継手１にオスのＯリングあるいはパッキン２を付けオスの相手側３に挿入し長さや向き調整をしてロックナット７を締め固定するのである。  図４、図５、図６に基づいて説明する。メスのＯリングあるいはパッキン５の付いているメスの継手４にメスの相手側６を挿入し長さや向き調整をしてロックナット７を締め固定するのである。  図８に基づいて説明する。第２オスの継手８にオスのＯリングあるいはパッキン２を付け第２メスの継手９に挿入し長さや向き調整をしてロックナット７を締め固定するのである。  図９に基づいて説明する。フック型オス継手１０にオスのＯリングあるいはパッキン２を付けフック型メス継手１１に挿入し長さや向きを調整しロックナット７を締め固定するのである。  図７はロックナット、図１０は持ち出しソケット、図１１は持ち出しユニットである。  図１２に基づいて説明する。第３メス継手１５（従来の継手）に持ち出しユニット１３を挿入し更に第３オスの継手１４を挿入し（従来の継手にも対応出来る）長さや向き調整をしロックナット７を締め固定するのである。  以上の様にする事によって、小回りが効き如何なる条件にも速やかに対応が出来るもので、作業性が良く時間も短縮出来るのである。
【発明の効果】
【０００６】  以上述べたように本発明の、配管のオスの継手で、継手のネジ部あるいは螺旋部あるいはフック等にＯリング等あるいはパッキンが付いていて、ロックナットで固定出来る継手にする事によって、小回りが効き如何なる条件にも速やかに対応が出来るもので、作業性が良く時間も短縮出来るのである。
【図面の簡単な説明】
【図１】本発明の一実施例で、オスの継手の概観図。
【図２】本発明の一実施例で、オスの継手とオスの相手側の挿入前の図。
【図３】本発明の一実施例で、オスの継手がオスの相手側に挿入された図。
【図４】本発明の一実施例で、メスの継手の概観図。
【図５】本発明の一実施例で、メスの継手とメスの相手側の挿入前の図。
【図６】本発明の一実施例で、メスの継手がメスの相手側に挿入された図。
【図７】本発明の一実施例で、ロックナットの略図。
【図８】本発明の一実施例で、Ｏリングあるいはパッキンの付けている位置を変えた例の図。
【図９】本発明の一実施例で、フック型の継手を使用した概観図。
【図１０】本発明の一実施例で、持ち出しソケットの略図。
【図１１】本発明の一実施例で、持ち出しユニットの略図。
【図１２】本発明の一実施例で、持ち出しユニットを使用した略図。
【符号の説明】
１    オスの継手  ２    オスのＯリングあるいはパッキン  ３    オスの相手側  ４    メスの継手  ５    メスのＯリングあるいはパッキン  ６    メスの相手側  ７    ロックナット  ８    第２オスの継手  ９    第２メスの継手１０    フック型オスの継手１１    フック型メスの継手１２    持ち出しソケット１３    持ち出しユニット１４    第３オスの継手１５    第３メスの継手
【図１】
2005048939.tif 000003
【図２】
2005048939.tif 000004
【図３】
2005048939.tif 000005
【図４】
2005048939.tif 000006
【図５】
2005048939.tif 000007
【図６】
2005048939.tif 000008
【図７】
2005048939.tif 000009
【図８】
2005048939.tif 000010
【図９】
2005048939.tif 000011
【図１０】
2005048939.tif 000012
【図１１】
2005048939.tif 000013
【図１２】
2005048939.tif 000014
(57)【要約】【課題】  駆動用電力を得るために、太陽電池パネルを設けたはかり装置を提供する。【解決手段】  筐体１の上部には測定物を載置する秤量皿２が設けられ、筐体１内部の測定部に連結されている。秤量皿２の周囲には、透明な風防５が筐体１に取り外し可能に設けられている。この風防５の天面部５ｃには透明な太陽電池パネル７が貼り付けられており、筐体１内の電気部に発電した電力を供給する。【選択図】図１
2005227212.tif 000002
【特許請求の範囲】
【請求項１】
表面部に太陽電池パネルを貼り付け、該太陽電池パネルにより発電した電力により、はかりの電気部を動作させることを特徴とするはかり装置。
【請求項２】
前記太陽電池パネルは透明としたことを特徴とする請求項１に記載のはかり装置。
【請求項３】
前記太陽電池パネルは、はかりの筐体上に設けた風防の表面に貼り付けたことを特徴とする請求項１に記載のはかり装置。
【請求項４】
前記太陽電池パネルは、はかりの筐体前面に設けた表示パネル上に貼り付けたことを特徴とする請求項１に記載のはかり装置。
【請求項５】
前記太陽電池パネルは、はかりの筐体の表面に貼り付けたことを特徴とする請求項１に記載のはかり装置。
【発明の詳細な説明】
【技術分野】
【０００１】
本発明は、例えば軽量の被測定物の重量を測定する電子はかり等のはかり装置に関するものである。
【背景技術】
【０００２】
従来、はかり装置は商用交流電源又は電池を用いて測定部等を駆動し、表示部に測定結果を表示している。
【発明の開示】
【発明が解決しようとする課題】
【０００３】
しかしながら、従来の商用交流電源により駆動するはかり装置は、コンセントのない場所では使用できなかったり、場合によっては延長コードを布設する必要がある。また、電池により駆動するはかり装置は、電池の充電、交換の問題があり、何時でも使用できるとは限らない。
【０００４】
本発明の目的は、上述の課題を解決し、コードレスで、電池の充電、交換が不要な省エネルギのはかり装置を提供することにある。
【課題を解決するための手段】
【０００５】
上記目的を達成するための本発明に係るはかり装置は、表面部に太陽電池パネルを貼り付け、該太陽電池パネルにより発電した電力により、はかりの電気部を動作させることを特徴とする。
【発明の効果】
【０００６】
本発明に係るはかり装置によれば、表面部に太陽電池パネルを貼り付け、発電された電力により電気部を駆動することができる。
【発明を実施するための最良の形態】
【０００７】
本発明を図示の実施例に基づいて詳細に説明する。
図１は実施例におけるはかり装置の斜視図を示しており、このはかり装置は通常のはかり装置と同様に、筐体１の内部に重量を測定するための測定部が内蔵されている。筐体１の上部には被計量物を載置する秤量皿２が設けられ、内部の測定部に連結されている。また筐体１の前面には、測定結果を表示する表示パネル３、はかり装置を操作するためのスイッチ等の複数の操作釦４が設けられている。
【０００８】
また、秤量皿２の周囲には、周囲の気流等が測定結果に影響を及ぼすことを防止するために、透明ガラスや透明合成樹脂板から成る箱形の風防５が、筐体１上に取り外し自在に設けられている。この風防５の各面は支柱６により支持されており、右側面、左側面が引き戸５ａ、５ｂによる開閉部とされ、天面部５ｃ、前面部５ｄ、後面部５ｅは固定の透明部とされ、下面は開口されている。
【０００９】
風防５の天面部５ｃには、ガラス基板又はフィルム上に半導体を積層した好ましくは透明な太陽電池パネル７が貼り付けられており、この太陽電池パネル７から電気配線８が引き出され、風防５の支柱６内を通り、支柱６の下部に設けられたコネクタ９に接続されている。
【００１０】
筐体１の表面には、上述の風防５に設けられたコネクタ９と接続するコネクタ１０が配置されており、風防５を筐体１上に載置することにより、コネクタ９、１０同士が接続され、太陽電池パネル７から筐体１内の電気部に発電された電力が供給される。
【００１１】
太陽電池パネルはガラス又は合成樹脂フィルム基板上に、例えばｎ型の酸化亜鉛半導体とｐ型の銅アルミ酸化物半導体をｐｎ接合させたものであり、基板への積層体の構造を工夫することにより、内部を視認できる程度の透明度を有するものが近年製品化されている。
【００１２】
この太陽電池パネルは、主に紫外線、赤外線エネルギにより発電し、可視光を透過するため、見た目にはほぼ透明であり、風防５の表面に貼り付けても風防５内を視認することができ、風防５内が極端に暗くなることなく、測定操作に支障は生じない。
【００１３】
また、太陽電池パネル７の大きさや形状には制約も少なく、はかり装置の電気部が駆動するために十分な電力を確保できると共に、美観を損ねることもない。
【産業上の利用可能性】
【００１４】
また、太陽電池パネル７は発電のための採光を考慮して、風防５の天面部５ｃに設けたが、その他にも、固定の平面部、例えば前面部５ｄ、後面部５ｅ、或いは筐体１の平面部、表示パネル３上に貼り付けてもよい。
【００１５】
また、太陽電池パネル７を風防５等の透明板に貼り付けるには、外面、内面の何れでも良いが、衝撃等による損傷を考慮すれば内面の方が好ましい。
【００１６】
更に、ガラス基板に半導体を積層した透明な太陽電池パネル７を、面板として直接に風防５を製作することもできる。
【００１７】
本実施例においては、風防５の支柱６内に電気配線８を布設したが、風防５の内外面に沿って配線をしてもよい。或いは、筐体１、表示パネル３に貼り付けて使用すれば、実施例のようなコネクタ９、１０を使用しないでも済む。
【００１８】
なお、発電のための採光が十分に得られない使用環境を考慮して、電源コードを取り付けたり、電池を内蔵できるようにすることも可能である。
【図面の簡単な説明】
【００１９】
【図１】はかり装置の斜視図である。
【符号の説明】
【００２０】
１  筐体
２  秤量皿
３  表示パネル
４  操作釦
５  風防
５ａ、５ｂ  引き戸
５ｃ  天面部
５ｄ  前面部
５ｅ  後面部
６  支柱
７  太陽電池パネル
８  電気配線
９、１０  コネクタ
【図１】
2005227212.tif 000003
(57)【要約】【課題】電子写真式連続紙印刷装置と後処理装置が接続された状態においても、印刷装置のスタッカ部の動作を任意に設定可能にすることである。【解決手段】コントローラ部に印刷装置へ接続する後処理装置の接続構成を設定できる後処理装置設定部を設けることで、前記スタッカ部の動作を任意に指定できるようにする。【選択図】図１
2005227595.tif 000002
【特許請求の範囲】
【請求項１】
印刷制御を行うコントローラ部と、前記コントローラ部から印刷装置が出力した印刷結果に後処理を施す後処理装置を前記印刷装置に接続する構成を設定する後処理装置設定部と、前記後処理装置が前記印刷装置に接続されたことを検出するための後処理装置インタフェース接続部と、前記印刷装置において印刷された印刷済み用紙を折りたたみ格納するためのスタッカ部とを有する電子写真式連続紙印刷装置において、
前記後処理装置設定部より前記印刷装置のスタッカ部の動作を任意に指定可能にしたことを特徴とする電子写真式連続紙印刷装置の制御方法。
【請求項２】
前記電子写真式連続紙印刷装置を複数台設置して、１台のコントローラで前記後処理装置設定部より前記印刷装置のスタッカ部の動作を任意に指定可能にしたことを特徴とする請求項１記載の電子写真式連続紙印刷装置の制御方法。
【発明の詳細な説明】
【技術分野】
【０００１】
本発明は、電子写真式連続紙印刷装置の制御方法に関するものである。
【背景技術】
【０００２】
電子写真式連続紙印刷装置の印刷では、印刷済み用紙に対して様々な後加工処理形態が存在する。一例として切断、折り曲げ、糊付け等の形態があり、これらの加工処理にはそれぞれ専用の後処理装置と呼ばれる装置を使用する。印刷従事者は、必要な後加工処理形態に応じて、一つまたは、複数の前記後処理装置を前記印刷装置に接続して印刷済み用紙の処理を連続して行うか、あるいは非接続の状態で印刷済み用紙を前記後処理まで運搬した上で非連続後加工処理を行っている。また、様々な後加工処理に応じるため、多種多様な後処理装置をそろえたり、後加工処理にあわせてその都度後処理装置の接続構成を変更している。
従来の電子写真式連続印刷装置の制御方法の概要を図２を用いて説明する。
【０００３】
図２において、１は電子写真式連続紙印刷装置、２はコントローラ部、３は後処理装置９の接続構成を設定する後処理装置設定部、４はスタッカ部７の動作を制御するスタッカ制御部、５は用紙給紙機構、６は感光体、８は後処理装置インターフェース接続部である。
【０００４】
後処理装置インターフェース接続部８に後処理装置９が接続されるとスタッカ制御部４に情報が送られる。スタッカ制御部４は後処理装置９が接続されると自動的にスタッカ部７の動作を停止し、用紙経路を後処理装置の方向へ変更する。
【発明の開示】
【発明が解決しようとする課題】
【０００５】
従来の電子写真式連続紙印刷装置では、前記後処理装置を接続した場合、該印刷装置との後処理装置インタフェース接続部の信号により接続を検知してスタッカ部の動作を自動的に構成していた。具体的には前記後処理装置を使用する場合、該印刷装置から排出された印刷済み用紙を折りたたみ格納するためのスタッカ部が必要ないため、用紙排出の邪魔にならないように動作を停止していた。
【０００６】
ところが、前述したように後加工処理の形態によっては前記後処理装置を前記印刷装置と接続しないで非連続後加工処理する場合がある。この場合該印刷装置から排出された印刷済み用紙は、該印刷装置のスタッカ部で一度折りたたみ格納する必要がある。つまり、前記印刷装置のスタッカ部を使用する為に該印刷装置との後処理装置インタフェース接続部の信号を切断して前記スタッカ部を使用する構成に変更する必要が発生する。
【０００７】
後加工処理の形態によっては前記後処理装置と前記印刷装置との接続と非接続を繰り返し行うことがあるが、従来の電子写真式連続紙印刷装置では、後処理装置インタフェース接続部の信号を接続したままでは、スタッカ部の動作を任意に設定できないため、接続構成を変更する度に前記後処理装置と前記印刷装置との後処理装置インタフェース接続部の信号をその都度接続したり切断したりしなくてはならないため不便であった。
本発明の目的は、上記不具合を改善し、前期後処理装置インタフェース接続部の信号が該印刷装置と接続された状態においても、該印刷装置のスタッカ部の動作を可能にし、電子写真式連続紙印刷装置の操作性を向上させるである。
【課題を解決するための手段】
【０００８】
上記の目的は、印刷制御を行うコントローラ部と前記コントローラ部から印刷装置が出力した印刷結果に後処理を施す後処理装置を前記印刷装置に接続する構成を設定する後処理装置設定部と前記後処理装置が前記印刷装置に接続されたことを検出するための後処理装置インタフェース接続部と前記印刷装置において印刷された印刷済み用紙を折りたたみ格納するためのスタッカ部とを有する電子写真式連続紙印刷装置において、
前記後処理装置設定部より前記印刷装置のスタッカ部の動作を任意に指定可能にしたことにより達成される。
【発明の効果】
【０００９】
本発明によれば、印刷装置と後処理装置が接続された状態においても、印刷装置のスタッカ部の動作を可能にし、電子写真式連続紙印刷装置の操作性を向上できる。
【発明を実施するための最良の形態】
【００１０】
以下、本発明の実施例を図面を用いて説明する。
【００１１】
図１は、本発明の一実施例に基づく電子写真式連続紙印刷装置の制御方法を表す概略構成図である。なお、符号は図２と同じである。
【００１２】
後処理装置設定部３は入力された後処理装置９の接続構成の設定情報と後処理装置インターフェース接続部８から後処理装置９の接続情報を最適処理し、最適なスタッカ部制御情報をスタッカ制御部４に送出する。スタッカ制御部４は送られてきた制御情報に基づきスタッカ部７の動作を制御する。後処理装置設定部３で後処理装置９の接続を選択した場合、用紙の経路は後処理装置９の方向になり、後処理装置設定部３で後処理装置９の非接続を選択した場合、用紙の経路はスタッカ部７の方向になる。これにより、従来は後処理装置９が接続されているとスタッカ部７の動作は停止していたが、後処理装置設定部３で後処理装置９の接続構成を設定することにより、後処理装置９が接続されている状態でスタッカ部７を動作させることが可能になる。
【図面の簡単な説明】
【００１３】
【図１】本発明の実施例を示す概略構成図である。
【図２】従来の電子写真式連続紙印刷装置の制御方法を示す概略構成図である。
【符号の説明】
【００１４】
１は電子写真式連続紙印刷装置、２はコントローラ部、３は後処理装置設定部、４はスタッカ制御部、５は用紙給紙機構、６は感光体、７はスタッカ部、８は後処理装置インターフェース接続部、９は後処理装置である。
【図１】
2005227595.tif 000003
【図２】
2005227595.tif 000004
(57)【要約】      （修正有）【課題】ナースコールなどの医療付帯装置における三角柱などの色分けした表示装置において、情報量を増大させる技術を提供する。【解決手段】駒の変わりに４色以上に色分けされた球形の表示素子用い、球体を回転させることで表示色を変えるものである。【選択図】図７
2005227467.tif 000002
【特許請求の範囲】
【請求項１】
親機又は廊下灯のパネルに
患者の氏名等の識別情報を表示する識別情報表示部と
前記識別情報の付加情報である区分を表示するための区分表示窓を
前記識別情報表示部の近傍に設けた
ナースコール装置において、
４色以上に色分けされた表示素子を
回転自在に且つ前記表示素子の一部が前記区分表示窓から見えるように配置した
ことを特徴とするナースコール装置。
【請求項２】
前記表示素子は球形または略球形であり、
前記表示素子を回転自在に係止する支持部材を介して
前記表示素子の一部が前記区分表示窓から見えるように
配置したことを特徴とする請求項１記載のナースコール装置。
【発明の詳細な説明】
【技術分野】
【０００１】
本発明は病棟等に設置され、患者と看護師等の間で通信を行うナースコール装置に関する。
【背景技術】
【０００２】
図１はナースコール装置の構成の一例である。
図１の構成は廊下灯を介して親機と子機が接続される。  廊下灯は各病室入り口近傍に設けられ、その病室での呼出の有無、入院患者氏名等がパネルに表示される。  また、廊下灯を用いない構成もある。
【０００３】
図２は、親機のパネルの一分を拡大したものである。
ナースコール装置にいおいて、親機や廊下灯に装着されるパネルは患者情報の表示板として用いられることがある。  
【０００４】
一般的に識別情報表示部に患者の氏名を記し、その近傍に、その患者に関する付加情報を表示する。  例えば食事制限の情報や外泊（一時退院）情報等があるが、特に救護区分と言われる情報の表示がある。  
【０００５】
救護区分は入院中の患者を非難させなければならないとき、単独で非難可能、介助が必要、担架が必要等を区分けしたものである。  災害時に入院患者を速やかに且つ安全に非難させる為の重要な情報と言える。
【０００６】
従来よく見かける例では、各辺に異なる色を付けられた三角柱の駒を識別情報表示部の近傍に、駒の一辺が露出するようにパネルに組み込み、駒を回転させることにより表示色を変え救護区分を表すもの（図3）があった。
【０００７】
ところで、医療現場によっては４色以上の区分を要望する場合がある。  三角柱の駒なら３色の色分けしかできないので、四角柱、五角柱・・・、と角数を増やせばよいが、駒の大きさに制限があるので色表示できる面積は小さくなってしまう。          
【特許文献１】特開2001-215905
【発明の開示】
【発明が解決しようとする課題】
【０００８】
本発明の課題は上記に鑑み、駒のサイズをあまり大きくせずとも、多数の色分表示ができるナースコール装置の提供である。
【課題を解決するための手段】
【０００９】
そこで本発明は、従来の駒の変わりに４色以上に色分けされた球形の表示素子用い、表示素子を回転させることで４色以上の表示を可能とするものである。
【発明の効果】
【００１０】
４色以上に色分けされた球形の表示素子用いたので、小型であっても視認性のよい区分表示が可能なナースコール装置が可能になった。
また、多数の区分ができるので、救護区分の表示以外にも用いることが出来るようになった。  例えば食事区分として用いた場合で、茶色は一分粥、赤は二分粥、橙は三分粥、黄は四分粥、緑は減塩食、青は普通食など。
【発明を実施するための最良の形態】
【００１１】
図５（ａ）、および（ｂ）は本発明の表示素子の例である。  図６は支持部材により、パネルに同表示素子が配置された図である。
【００１２】
図７は別の表示素子例であり、表示素子の中心に軸を設けてある。  同表示素子は軸を中心に回転自在に支持部材に係止されパネルに配置される（図８）。
【００１３】
図９は別の表示素子例であり、ラグビーボール状の形態をしている。  図１０は、同表示素子が支持部材に係止されている図である。  
【００１４】
図１１は表示素子の色境界に溝を設けたものである。  支持部材の突出部と同溝が当接し、表示素子の回転に一定の規制を行う（図１２）。
【００１５】
上記した表示素子を用いたナースコール装置は以下のように使用する。  
例えば入院患者、佐藤里香が手術を終え、まだ麻酔から覚めない状態だとする。  当然のごとく、一人で歩くこともできないし、介助があっても同様である。  従来の例では３色の表示しかできないので要担架の区分となる。  しかし本発明では４色以上の色別表示が可能なので、例えば、従来で言えば要担架の区分でも担架１（普通）、担架２（特殊）、などの表示がおこなえる。
【００１６】
看護師は手術前の救護区分からの担架２（特殊）区分に表示を変える。
変え方はボードから露出した表示素子を指先で回転させることにより行う（図１３）。
【００１７】
災害時には職員又は救助者が表示ボードを一目見て、佐藤里香の非難には特殊な担架が必要なことが判る。
【００１８】
なお、廊下灯、副親機など、ナースコール装置の各機器はボードを有している場合があり、これらも同様に本発明を適用することができる。
【００１９】
また、本発明は救護区分表示で好的な効果を得られるが、他の情報の表示に用い
てもよい。
【図面の簡単な説明】
【００２０】
【図１】・・・ナースコール装置の構成の一例を示した図
【図２】・・・親機図
【図３】・・・パネルの一部拡大図
【図４】・・・三角柱の駒を回転させて表示色を変える説明図
【図５】・・・本発明の表示素子の一例
【図６】・・・同表示素子を回転自在にパネルに配置した図
【図７】・・・本発明の別の表示素子例
【図８】・・・同表示素子を回転自在にパネルに配置した図
【図９】・・・本発明の更に別の表示素子例
【図１０】・・同表示素子を回転自在にパネルに配置した図
【図１１】・・・同表示素子を回転自在にパネルに配置した図
【図１２】・・・同表示素子を回転自在にパネルに配置した図
【図１３】・・・本発明のナースコール装置を操作する説明図
【符号の説明】
【００２１】
２・・・識別情報表示部
３・・・救護区分表示部
【図１】
2005227467.tif 000003
【図２】
2005227467.tif 000004
【図３】
2005227467.tif 000005
【図４】
2005227467.tif 000006
【図５】
2005227467.tif 000007
【図６】
2005227467.tif 000008
【図７】
2005227467.tif 000009
【図８】
2005227467.tif 000010
【図９】
2005227467.tif 000011
【図１０】
2005227467.tif 000012
【図１１】
2005227467.tif 000013
【図１２】
2005227467.tif 000014
【図１３】
2005227467.tif 000015
(57)【要約】     【課題】  測量杭入時、杭入れ点を素早く簡単正確に出す定規を提供する。     【解決手段】  ０を基点に上下に数字を記した定規を用い、０を基点に回転させることにより、位置出しを容易にする。     【選択図】  図１
2005227004.tif 000002
【特許請求の範囲】
【請求項１】
０を基点に前後に測点を決定する為の（目盛り）＋数字を記し、ピンポール（測点を見る為の細いポール）ないしプリズムを定規の０基点に固定し易くする為に、溝ないし取付け金具等のついたものを特徴とする定規。
【請求項２】
請求項１の反対ないし、裏面に測量機から見て通りを決める為の目盛りを付けた事を特徴とする定規。  
【発明の詳細な説明】
【技術分野】
【０００１】
本発明は、測量において定規の目盛りを使う事によって、測点（杭入点）と、プリズムとの誤差を正確に測って杭入点を素早く簡単正確に出すものである。
【背景技術】
【０００２】
従来は、測量杭入点を出す為にプリズムまでの距離を計測し、本来の距離との差までを目見当でプリズムを、移動して、本来の距離と合致するまで、数回測っていた。
【発明の開示】
【発明が解決しようとする課題】
【０００３】
杭入点を出す為に従来地上に明確な目盛りがないため、目検討でプリズムを前後させていた、そのため勘が、必要であり正確な測点（杭入点）を求める為に何回もプリズムを前後に移動し、測距する必要が有り、素人には、難しかった。
【課題を解決するための手段】
【０００４】
定規に０を基点に、前後に数字を記した定規を用い、０目盛りを基点に回転させ通りを出し、０目盛りで１度測距し、本来の距離までの誤差分を、定規の目盛りを使って、プリズムを移動すれば、正確に、本来求める距離（位置）にプリズムを移動出来、その事により杭入れ点を簡単正確に出す。
【発明の効果】
【０００５】
何度もプリズムで測量したり、コンベックスを置き直したり、たいへんな手間が、かかっていたことが簡単正確にしかも短時間に出来るようになる。    
【発明を実施するための最良の形態】
【０００６】
０を基点に前後に数字を記した定規を用い、通りがきまった位置に０基点を合わせそこを軸として、定規の目盛り面とそうように回転させ、プリズムにて測量し前後することにより位置を出す。
【図面の簡単な説明】
【０００７】
【図１】本発明の斜視図。
【図２】本発明の作業工程を示すフローチャート図でポールマンとは測量時、プリズムを持つ側の人のことである。
【符号の説明】
【０００８】
（１）定規
（２）  ０を基点として上下に数字を記したもの
（３）  軸として回転できる溝や金具
（４）  回転時に持つところ
【図１】
2005227004.tif 000003
【図２】
2005227004.tif 000004
(57)【要約】      （修正有）【課題】販売店の包装具の費用を低減できるとともに広告効果を高めることができる包装具を用いた広告方法を提供する。【解決手段】販売店などで、汁が出る食品の包装に用いるロール状の袋であるタイミーロールの表面に広告をおこない、広告媒体として利用することにより、費用負担の削減ができる。又、チラシ等の広告媒体は必要としない内容であれば、すぐに破棄されるが、タイミーロールの場合買物客は必ず必要とし、家庭に持ち帰り、ゴミ袋等に再利用する為、消費者に対し継続して広告内容を訴える事ができる。【選択図】なし【特許請求の範囲】
【請求項１】
タイミーロールに広告を掲載する
【発明の詳細な説明】
【発明の詳細な説明】
【技術分野】
【０００１】スーパー等に設置されている、タイミーロール（汁が出る食品を入れる為、設置されている袋）を広告媒体として利用する。
【背景技術】
【０００２】従来のタイミーロールは、、袋としての利用しかなされていない。
【発明が解決しようとする課題】
【０００３】タイミーロールは、透明であり、袋としての役割しか果してなく、袋の面が何の役割も果していない。
【課題を解決するための手段】
【０００４】タイミーロールに広告を掲載
【発明の効果】
タイミーロールは、自宅でも、ゴミ袋等に再利用されており、チラシのようにその場で破棄される事はなく、継続利用されているので、広告効果が倍増される。
又、広告料により、タイミーロールの製作料が安くなる為、スーパー等の小売業者の費用を削減できる。